(57)【要約】【課題】梱包性および組み立て性を良好に保持し、材料コストおよび輸送コストを抑えつつ、施工現場において組み立てられる収納体を、背板の強度を十分なものとして内壁面に固定すること。【解決手段】施工現場において組み立てられた収納体１の背板６の背面６ａに横桟９が一定間隔で上下に複数本配設され、横桟９の背面９ａを内壁面に当接させて収納体を配置した状態において背板前面側から横桟背面側に向かって貫通させてビスが内壁にねじ込まれ、背板が内壁に固定されている。【選択図】図１
2009005749.tif 000002
【特許請求の範囲】
【請求項１】
上下に対向して配置された天板および地板の左右両側に左右一対の側板が連結され、背板が、背面を側板の背面より前方に配置して天板、地板および左右両側板に連結され、背板は、左右に分割された複数の分割板部材が、並置された隣接する２枚の分割板部材の端縁において上下方向に延びるジョイナーによって連結されて形成された、前方に開口する箱型の収納体の固定構造であって、施工現場において組み立てられた収納体の背板背面に横桟が一定間隔で上下に複数本配設され、横桟背面を内壁面に当接させて収納体を配置した状態において背板前面側から横桟背面側に向かって貫通させてビスが内壁にねじ込まれ、背板が内壁に固定されていることを特徴とする収納体の固定構造。
【請求項２】
背板背面から後方に突出する左右両側板の背面と横桟の背面とが同一平面上に配置されていることを特徴とする請求項１に記載の収納体の固定構造。
【請求項３】
ジョイナーは、互いに平行な前押さえ板と後押さえ板とが各々の略中央部において垂直に配置された連結板により連結されて形成され、連結板を挟んで左右両側に前押さえ板と後押さえ板とによる挟持部を有し、挟持部において分割板部材の端縁を挟持可能であり、後押さえ板の横幅が前押さえ板の横幅より短いことを特徴とする請求項１または２に記載の収納体の固定構造。
【請求項４】
ジョイナーの後押さえ板の厚みが分割板部材の厚みに比較して薄いことを特徴とする請求項３に記載の収納体の固定構造。
【発明の詳細な説明】
【技術分野】
【０００１】
本発明は、分解され、コンパクトに梱包された各部材を施工現場において組み立てて形成した収納体を設置するための収納体の固定構造に関する。
【背景技術】
【０００２】
下駄箱や箪笥などの収納家具として用いられる収納体は、生産工場における梱包、倉庫からの運搬および施工現場での組み立てを容易とし、コストを低減させるなどのために、天板、地板、左右両側板、背板などの各部材に分解され、コンパクトに梱包している（特許文献１）。
【０００３】
本出願人は、上記収納体についてさらに検討を進め、背板とともに全体としても補強され、コストアップを抑えることのできる箱型収納家具を提供している（特許文献２）。
【０００４】
上記箱型収納家具は、背板を複数に分割した分割板部材を並置された隣接する２枚の分割板部材の端縁において連結棒部材により接続し、分割板部材の端縁に沿って背面に補強桟材を固着し、連結棒部材には、中程背側に補強凸部を形成するとともに、両側方に開口した長手方向に延びる凹溝部を形成し、連結棒部材の凹溝部に分割板部材の端縁を嵌合させ、補強凸部の両側に補強桟材を当接した状態において隣接する２枚の分割板部材の端縁同士を連結棒部材により接続固定して組み立てられる。
【特許文献１】特開平１１−１３７３５７号公報
【特許文献２】特開２００７−８２９２１号公報
【発明の開示】
【発明が解決しようとする課題】
【０００５】
上記箱型収納家具は、分割板部材が、端縁に沿って背面に固着される補強桟材により補強されるため、分割板部材の厚みを大きくする必要がなく、分割板部材はベニヤ板などの厚みの薄い板材とすることができ、梱包性、材料コストおよび輸送コスト、組み立て性などの問題を解消することができるという利点を有している。
【０００６】
しかしながら、その後の検討により、上記箱型収納家具については、分割板部材毎に背面の周縁に沿って補強桟材を固着しなければならないため、製造に手間がかかり、また、補強桟材の分分割板部材の厚みが増すため、梱包性に影響し、これらの点はひいてはコストに反映するという問題が指摘された。
【０００７】
また、上記箱型収納家具については、全体の強度アップは、連結棒部材の中程背側に形成された補強凸部がその両側に配置される補強桟材で挟持される結果として実現されるのであり、補強桟材の存在なくして箱型収納家具全体の強度アップは望めないという問題も指摘された。
【０００８】
さらに、上記箱型収納家具については、連結棒部材は補強凸部によって厚みの厚い部材となっており、梱包性を低下させるという問題も指摘された。
【０００９】
本発明は、以上の通りの事情に鑑みてなされたものであり、先に提供している箱型収納家具の上記問題を解消し、梱包性および組み立て性を良好に保持し、材料コストおよび輸送コストを抑えつつ、施工現場において組み立てられる収納体を、背板の強度を十分なものとして内壁面に固定することのできる収納体の固定構造を提供することを課題としている。
【課題を解決するための手段】
【００１０】
本発明の収納体の固定構造は、上記の課題を解決するために、以下のことを特徴としている。
【００１１】
すなわち、第１の発明は、上下に対向して配置された天板および地板の左右両側に左右一対の側板が連結され、背板が、背面を側板の背面より前方に配置して天板、地板および左右両側板に連結され、背板は、左右に分割された複数の分割板部材が、並置された隣接する２枚の分割板部材の端縁において上下方向に延びるジョイナーによって連結されて形成された、前方に開口する箱型の収納体の固定構造であって、施工現場において組み立てられた収納体の背板背面に横桟が一定間隔で上下に複数本配設され、横桟背面を内壁面に当接させて収納体を配置した状態において背板前面側から横桟背面側に向かって貫通させてビスが内壁にねじ込まれ、背板が内壁に固定されていることを特徴としている。
【００１２】
第２の発明は、上記第１の発明において、背板背面から後方に突出する左右両側板の背面と横桟の背面とが同一平面上に配置されていることを特徴としている。
【００１３】
第３の発明は、上記第１または第２の発明において、ジョイナーは、互いに平行な前押さえ板と後押さえ板とが各々の略中央部において垂直に配置された連結板により連結されて形成され、連結板を挟んで左右両側に前押さえ板と後押さえ板とによる挟持部を有し、挟持部において分割板部材の端縁を挟持可能であり、後押さえ板の横幅が前押さえ板の横幅より短いことを特徴としている。
【００１４】
第４に、上記第３の発明において、ジョイナーの後押さえ板の厚みが分割板部材の厚みに比較して薄いことを特徴としている。
【発明の効果】
【００１５】
上記第１の発明によれば、背板は、左右に分割された複数の分割板部材が、並置された隣接する２枚の分割板部材の端縁において上下方向に延びるジョイナーによって連結されて形成されているので、ジョイナーは縦桟としても機能し、組み立てられた収納体は、上下方向の圧縮力に対抗することができ、収納体全体の強度が高く、変形しにくい。
【００１６】
また、上記第１の発明によれば、組み立てられた収納体の背板背面に横桟が一定間隔で上下に複数本配設されるので、横桟の施工は収納体の施工現場において行うことができ、収納体の生産工場で行わずにすみ、製造に手間がかかることはなく、コストを抑えることができる。横桟は左右の側板間に架設することができ、施工容易であり、コストを抑えることができる。
【００１７】
さらに、上記第１の発明によれば、横桟背面を内壁面に当接させて収納体を配置した状態において背板前面側から横桟背面側に向かって貫通させてビスが内壁にねじ込まれ、背板が内壁に固定されているので、背板は、横桟によって補強され、しかも内壁にビス固定されており、並置された隣接する２枚の分割板部材がジョイナーによって連結される背板の連結部においても背板の強度は十分であり、収納体内に物品を収納するなどの際に背板に後方に向かう押圧力が作用しても、分割板部材がジョイナーから抜け外れることはない。したがって、分割板部材にはベニヤ板などの厚みの薄い板材を採用することができ、ジョイナーには特に構成上の制約はなく、梱包する部材としては横桟のみが追加されるだけであるため、収納体の梱包性は良好であり、組み立て性も良好で、コストを抑えることができる。
【００１８】
上記第２の発明によれば、背板背面から後方に突出する左右両側板の背面と横桟の背面とが同一平面上に配置されているので、横桟の背面側において内壁面との間に隙間が形成されず、ビスによる固定強度が高まるとともに、収納体固定後の見栄えが良好となる。
【００１９】
上記第３の発明によれば、背板は、横桟により補強され、内壁に固定されるので、ジョイナーには、互いに平行な前押さえ板と後押さえ板とが各々の略中央部において垂直に配置された連結板により連結されて形成され、連結板を挟んで左右両側に前押さえ板と後押さえ板とによる挟持部を有し、挟持部において分割板部材の端縁を挟持可能とした構成の簡略化されたものを採用することができ、コスト低減を図ることができる。
【００２０】
また、上記第３の発明によれば、上記ジョイナーにおいて後押さえ板の横幅を前押さえ板の横幅より短くすることができ、梱包のコンパクト化およびコスト低減をより図ることができる。
【００２１】
上記第４の発明によれば、ジョイナーの後押さえ板の厚みが分割板部材の厚みに比較して薄いので、ジョイナーの後押さえ板の後方突出寸法を十分小さくすることができ、横桟にジョイナーを逃がすための凹加工を必要最小限に抑えることができる。凹加工の手間が解消され、コストを抑えることができ、しかも厚みがさほど厚くない横桟であっても強度を十分に保持することができ、背板の補強に支障を与えずにすむ。
【発明を実施するための最良の形態】
【００２２】
図１は、本発明の収納体の固定構造の一実施形態を示したものであり、内壁固定前の収納体を示した背側斜視図である。
【００２３】
図１に示した収納体１は、天板２、地板３、左右両側板４、５、背板６などの各部材に分解され、コンパクトに梱包された梱包品から荷解きされ、施工現場において組み立てられたものである。このように収納体１は、生産工場における梱包、倉庫からの運搬および施工現場での組み立てが容易とされ、コスト低減が図られたものである。
【００２４】
天板２および地板３は上下に対向して配置され、各々の左側に左側板４、右側に右側板５が連結されている。左側板４の上端面４ａおよび右側板５の上端面５ａは天板２の天面２ａと同一平面上に配置され、左側板４の下端面４ｂおよび右側板５の下端面５ｂは地板３の底面３ａと同一平面上に配置されている。すなわち、天板２、地板３はともに左側板４および右側板５の間に架設されている。
【００２５】
背板６は、背面６ａを左側板４および右側板５の背面４ｃ、５ｃより前方に配置して天板２、地板３、左側板４および右側板５に連結されている。背板６は、左右に２分割され、上下方向に延びる縦長の２枚の分割板部材７が、同一平面上に並置され、隣接する左右の分割板部材７の端縁において上下方向に収納体１の略全長にわたって延びる縦長のジョイナー８によって連結されている。
【００２６】
このように、他の部材に比べ面積の大きい背板６が左右２枚の分割板部材７に分割されているので、１枚の分割板部材７当たりの面積を抑え、コンパクトな梱包を可能にしている。また、ジョイナー８は、上下方向に収納体１の略全長にわたって延びる縦長の部材であり、したがって、収納体１において縦桟としても機能し、組み立てられた収納体１は、上下方向の圧縮力に対抗することができ、収納体１全体の強度が高く、変形しにくい。
【００２７】
施工現場において組み立てられた収納体１には、背板６の背面６ａに横桟９が３本一定間隔で配設されている。横桟９は、収納体１の上端部である天板２の直下、背板６の上下方向の中央部、収納体１の下端部である地板３の直上にそれぞれ１本ずつ配設されている。横桟９の施工は収納体１の施工現場において行われ、収納体１の生産工場では行われない。したがって、横桟９の配設にともない製造に手間がかかることはなく、コストを抑えることができる。横桟９は左側板４と右側板５との間に通して架設することができ、施工容易であり、コストを抑えることができる。
【００２８】
各横桟９の背面９ａは、収納体１の背板６の背面６ａから後方に突出する左側板４および右側板５の背面４ｃ、５ｃと同一平面上に配置されている。このような背面９ａの左側板４および右側板５の背面４ｃ、５ｃとの同一平面上の配置を可能とするために、図２に示したように、横桟９の前面９ｂ側にはジョイナー８の後押さえ板１０に対応する部位に凹所１１が形成されている。凹所１１は、横桟９を凹加工によって奥行き方向に切り欠くことにより形成され、凹所１１内に、ジョイナー８において収納体１の背板６の背面６ａから後方に突出する後押さえ板１０を収め、ジョイナー８を逃がすことができるようにしている。凹所１１は各横桟９に形成されており、横桟９の背面９ａが、左側板４および右側板５の背面４ｃ、５ｃと同一平面上に配置されているようにしている。ジョイナー８の後押さえ板１０の厚みが非常に薄く、横桟９がジョイナー８と重合する部分において背面９ａが左側板４および右側板５の背面４ｃ、５ｃから突出することがなければ、凹所１１は省略することができる。凹所１１の形成は、収納体１の施工現場において行っても、生産工場においてあらかじめ行ってもどちらでもよい。生産工場であらかじめ形成しておいた凹所１１を施工現場において適宜調整することも可能である。
【００２９】
横桟９の前面９ｂには、前面９ｂの幅方向の中央部に両面テープ１２が配設されている。両面テープ１２は、横桟９の背板６の背面６ａへの配設を容易とする。横桟９を貼着によって背板６の背面６ａに配設することができ、施工を簡便とする。横桟９の前面９ｂへの両面テープ１２の配設は、上記凹所１１の形成と同様に、収納体１の施工現場において行っても、生産工場においてあらかじめ行ってもどちらでもよい。生産工場においてあらかじめ両面テープ１２を配設する場合は、両面テープ１２の背面には剥離紙を取り付けておき、横桟９の配設の際に剥離紙を除去する。両面テープ１２は、横桟９の前面９ｂ側に凹所１１が形成されている場合は、凹所１１を除いた横桟９の前面９ｂに配設し、ジョイナー８の逃げを妨げないようにする。図２に示した横桟９では、凹所１１を挟んで左右両側に両面テープ１２が配設されている。なお、両面テープ１２は接着剤に替えることができる。横桟９の施工性を考慮し、適宜な取付手段を採用することができる。
【００３０】
図３、図４は、それぞれ、本発明の収納体の固定構造の一実施形態を示したものであり、図１に示した収納体の内壁固定状態を示した前側斜視図、要部断面図である。
【００３１】
施工現場において組み立てられた収納体１は、前方に開口する箱型の収納体であり、下駄箱、箪笥などとして使用される。収納体１は、地板３側を下に向けて床１３上に置き、設置されている。収納体１の背板６の背面６ａに配設された３本の横桟９は、背面９ａが内壁１４の内壁面１４ａに当接している。この状態において背板６の前面６ｂ側、すなわち、分割板部材７の前面７ａ側から横桟９の背面９ａ側に向かって貫通させてビス１５が内壁１４にねじ込まれ、左右２枚の分割板部材７がどちらも内壁１４に固定され、背板６が内壁１４に固定されている。ビス１５は、１本の横桟９につき、左右両側板４、５とジョイナー８の前押さえ板１６との間における左右２箇所、計４箇所で背板６の前面６ｂ側から内壁１４に向けてねじ込まれている。
【００３２】
背板６は、横桟９によって補強されており、しかもビス１５によって内壁１４に固定されているため、背板６は、２枚の分割板部材７がジョイナー８によって連結される背板６の連結部においても強度は十分であり、収納体１内に物品を収納するなどの際に背板６に後方に向かう押圧力が作用しても、分割板部材７がジョイナー８から抜け外れることはない。したがって、分割板部材７にはベニヤ板などの厚みの薄い板材を採用することができ、ジョイナー８には、２枚の分割板部材７の連結が可能である限り、特に構成上の制約はなく、梱包する部材としては横桟９のみが追加されるだけであるため、収納体１の梱包性は良好であり、組み立て性も良好で、コストを抑えることができる。
【００３３】
なお、上記の通り、背板６は十分な強度を有するため、３枚以上の分割板部材７に分割することも可能である。分割板部材７の枚数は、収納体１の梱包性および組み立て性を考慮して適宜決めることができる。
【００３４】
また、上記の通り、横桟９の背面９ａは、背板６の背面６ａから後方に突出する左右両側板４、５の背面４ｃ、５ｃと同一平面上に配置されているので、横桟９の背面９ａ側において内壁面１４ａとの間に隙間が形成されず、ビス１５による固定強度が高まるとともに、収納体１の固定後の見栄えが良好となる。収納体１における背板６の背面６ａと左右両側板４、５の背面４ｃ、５ｃとの間の寸法は１０〜１５ｍｍ程度が一般的であり、背面９ａを左右両側板４、５の背面４ｃ、５ｃと同一平面上に配置する場合の横桟９の厚みはさほど厚いものではないが、上記寸法と同程度の厚みの横桟９であっても背板６を十分に補強することができ、厚みがさほど厚くないことから、ビス１５のねじ込みが容易となる。
【００３５】
なお、横桟９の背面９ａは、必ずしも収納体１の左右両側板４、５の背面４ｃ、５ｃと同一平面上に配置される必要はなく、収納体１の固定後の見栄えおよびビス１５のねじ込みに支障を与えない程度に、横桟９の背面９ａを左右両側板４、５の背面４ｃ、５ｃから後方に突出させることは可能である。
【００３６】
さらに、上記の通り、背板６は、横桟９により補強され、内壁１４に固定されるので、ジョイナー８には、図４に示したような構成の簡略化されたものを採用することができ、コスト低減を図ることができる。
【００３７】
図５に図４に示したジョイナー８を拡大して示したように、ジョイナー８は、互いに平行な前押さえ板１６と後押さえ板１０とが各々の略中央部において垂直に配置された連結板１７により連結されて形成され、連結板１７を挟んで左右両側に前押さえ板１６と後押さえ板１０とによる挟持部１８を有している。挟持部１８は、前押さえ板１６、後押さえ板１０および連結板１７によって囲まれて形成されている。ジョイナー８は、挟持部１８において分割板部材７の端縁７ｂを挟持可能であり、挟持部１８における前押さえ板１６と後押さえ板１０との間隔は分割板部材７の厚みより若干小さくし、挟持部１８が弾性的に分割板部材７の端縁７ｂを挟持して挟持力を高めることができる。分割板部材７のジョイナー８からの抜け外れを効果的に抑えることができ、横桟９の施工などを容易とする。また、図４および図５に示したジョイナー８は、厚みがさほど厚いものではないため、梱包性の向上に寄与する。
【００３８】
このようなジョイナー８は、たとえば樹脂成形品、アルミニウムなどの軽金属からの成形品とすることができ、この場合、製造が容易となる。また、図５に示したように、後押さえ板１０の横幅ｗ１を前押さえ板１６の横幅ｗ２より短くすることができる。これは、図１および図４に示したように、背板６が横桟９によって補強されているからである。この場合、梱包のコンパクト化およびコスト低減をより図ることができるとともに、図１および図２に示した横桟９の前面９ｂ部に形成する凹所１１の横幅を小さくすることができ、凹加工が容易となり、コストのより一層の低減が図れる。たとえば、ｗ２を１５ｍｍとするとき、ｗ１は１０ｍｍにすることができる。
【００３９】
さらに、ジョイナー８において後押さえ板１０の厚みｔ１は分割板部材７の厚みｔ２に比較して薄くすることができる。ジョイナー８の後押さえ板１０の後方突出寸法を十分小さくすることができ、横桟９にジョイナー８を逃がすための凹所１１の深さを必要最小限に抑えることができる。凹加工の手間が解消され、コストを抑えることができ、しかも上記の通りの厚みがさほど厚くない横桟９であっても強度を十分に保持することができ、背板６の補強に支障を与えずにすむ。たとえば、分割板部材７が、厚みｔ２が２〜３ｍｍ程度のベニヤ板であるとき、ジョイナー８の後押さえ板１０の厚みｔ１は１/３以下の１ｍｍ以下に抑えることができる。
【００４０】
以上の図１〜図５に示した収納体の固定構造の施工手順は以下の通りである。
【００４１】
すなわち、図６に示したように、まず、施工現場において、外側面を下にして左側板４を配置し、左端縁部に天板２を、右端縁部に地板３をダボおよび接着剤を用いて連結する。次いで、天板２および地板３の内面部において背側端縁に沿って形成された結合凹溝１９に上端から１枚目の分割板部材７を差し込み、嵌め込みながら、左側板４の内面部において同じく背側端縁に沿って形成された結合凹溝１９に分割板部材７の端縁を嵌合させる。その際、各結合凹溝１９には接着剤を塗布しておき、分割板部材７が天板２、地板３および左側板４に強固に固定されるようにする。また、分割板部材７は、端縁部において左側板４の内面部背側に固着されたＬ型結合具２０によって固定し、より強固に固定することができる。結合凹溝１９に端縁を嵌合させて分割板部材７を固定するため、分割板部材７により形成される図１に示した背板６は、収納体１において、背面６ａが左右両側板４、５の背面４ｃ、５ｃより前方に配置される。
【００４２】
この後、固定した分割板部材７の端縁７ｂを一方の挟持部１８によって挟持するようにして分割板部材７の端縁７ｂにジョイナー８を接続し、２枚目の分割板部材７を１枚目の分割板部材７と同様にして天板２および地板３の結合凹溝１９に上端から差し込み、嵌め込んで端縁７ｂをジョイナー８の他方の挟持部１８に挟持させ、２枚目の分割板部材７をジョイナー８に接続する。その際、ジョイナー８の両挟持部１８には内側に接着剤を塗布しておき、２枚の分割板部材７のジョイナー８による連結強度を高める。
【００４３】
そして、右側板５をダボおよび接着剤を用いて天板２および地板３に連結し、前方に開口する箱型の収納体１を組み立てる。組み立てた収納体１では、図１に示したように、左側板４の上端面４ａおよび右側板５の上端面５ａが天板２の天面２ａと同一平面上に配置され、左側板４の下端面４ｂおよび右側板５の下端面５ｂが地板３の底面３ａと同一平面上に配置される。
【００４４】
次いで、図１に示したように、組み立てた収納体１の背板６の背面６ａに横桟９を一定間隔で３本配設する。その際、収納体１は、図６に示した左側板４が下を向いた横倒し状態としても、図１に示したように、地板３側を下にして起こした状態としてもどちらでもよい。高さの高い収納体１については、図６に示したような横倒し状態として横桟９を配設すると、施工が容易となる。この場合、横桟９は縦方向に施工することになる。
【００４５】
この後、図３および図４に示したように、組み立てた収納体１を、地板３側を下に向けて床１３上に置き、背板６の背面６ａに配設された３本の横桟９の背面９ａを内壁面１４ａに当接させ、この状態において背板６の前面６ｂ側から横桟９の背面９ａ側に向かって貫通させてビス１５を内壁１４にねじ込み、左右２枚の分割板部材７を内壁１４に固定して収納体１の背板６を内壁１４に固定する。
【００４６】
ビス１５の使用本数およびねじ込み位置は、背板６の固定強度を考慮して適宜決めることができる。
【図面の簡単な説明】
【００４７】
【図１】本発明の収納体の固定構造の一実施形態を示したものであり、内壁固定前の収納体を示した背側斜視図である。
【図２】図１に示した横桟を示した前側斜視図である。
【図３】本発明の収納体の固定構造の一実施形態を示したものであり、図１に示した収納体の内壁固定状態を示した前側斜視図である。
【図４】図３に示した収納体の固定構造の要部断面図である。
【図５】図４に示したジョイナー周辺の要部拡大断面図である。
【図６】図１〜図５に示した収納体の組み立て手順を示した分解斜視図である。
【符号の説明】
【００４８】
１  収納体
２  天板
３  地板
４  左側板
４ｃ  背面
５  右側板
５ｃ  背面
６  背板
６ａ  背面
６ｂ  前面
７  分割板部材
７ｂ  端縁
８  ジョイナー
９  横桟
９ａ  背面
１０  後押さえ板
１４  内壁
１４ａ  内壁面
１５  ビス
１６  前押さえ板
１７  連結板
１８  挟持部
【図１】
2009005749.tif 000003
【図２】
2009005749.tif 000004
【図３】
2009005749.tif 000005
【図４】
2009005749.tif 000006
【図５】
2009005749.tif 000007
【図６】
2009005749.tif 000008